(57)【特許請求の範囲】
【請求項１】
開蓋時に容器蓋の側面に巻き付けて使用するものであって、幅が１０〜５０ｍｍ程度、厚みが１〜１０ｍｍ程度で長さが１０〜１００ｃｍ程度で滑すべりのよい素材からなるベルト状体の一端部内側面に、容器蓋の側面に仮固着するための粘着層や微小吸盤層からなる取付部を設けたことを特徴とする蓋開け具。
【請求項２】
取付部が粘着層からなる場合に、蓋開け具の不使用時にベルト状体にくっついたり周囲のゴミを付着したりするのを防止するために、取付部に保護部材を設けたものである、請求項１記載の蓋開け具。
【発明の詳細な説明】
【０００１】
【発明の属する技術分野】
本発明は、新規な蓋開け具に関する。
【０００２】
【従来の技術】
蜂蜜などの粘調物質や加熱殺菌した瓶詰などの容器の蓋は、極めて開きづらいものである。特に、子供や老人など、握力や腕力の弱い人の場合には、これらの容器以外にも、ちょっと固く閉められた容器の蓋や径の小さい蓋が非常に開けづらいことが多い。
【０００３】
そのため、従来から様々な蓋開け具が提案され且つ上市されている。しかし、従来のこの種のものは操作が煩雑であるとか、蓋に掛ける部分が滑って用をなさないなど、中々理想的なものが少ないのが現状である。
【０００４】
【発明が解決しようとする課題】
そこで本発明者は、蓋を握る力を利用して、簡単且つ確実に蓋開けができる用具について種々試作研究した結果、本発明を完成させたものである
【０００５】
【課題を解決するための手段】
即ち、本発明の蓋開け具は、容器の蓋に一重〜多重回巻付けられる寸法のベルト状体であって、このベルト状体の一端部内側面に、容器蓋の側面に仮固着するための取付部を設けたことを要旨とする。そして、この取付部を容器蓋の側面の任意の箇所に仮固着し、そこを始点としてベルト状体を開蓋方向に巻き付け、該ベルト状体部分を片手で握ったり両手で挟み込んでそのまま開ける方向に回すと、容易に開蓋するものである。
【０００６】
一般に開蓋け具には、開蓋け部材を容器蓋に押しつける押圧力と、開蓋け部材を回転させようとする力（回転モーメント）の両方が必要になる。ところで、開蓋け部材の回転力を容器蓋に伝えるには、両者間の摩擦力が必要になる。そして、この摩擦力の元は押圧力である。即ち、開蓋け具を握って廻す力が必要になる。人は、この両者の力の入れ具合を無意識に調整して行なっている。
【０００７】
しかし、老人や身障者など、手や指の働きが十分に機能しない人の場合、この調整が困難であり、一寸固めに閉められた容器蓋の場合、開蓋するのに困難をきたしたり諦めたりすることが多い。
【０００８】
また、最近流行りの小型ドリンクのように蓋の径が２０ｍｍ前後と小さいものは、回転モーメントが小さくて若い力のある人でも開けづらいものである。本発明の蓋開け具の特徴は、厚みが１〜１０ｍｍ程度のベルト状体を容器蓋に幾重にも巻き付けるので、見かけの径が大きくなり、モーメントが大きくなって開け易くなる。また、ベルト状体の一端が容器蓋に仮固着されるので、巻き付けられたベルト状体と容器蓋の間に滑りは生じず、ベルト状体を回転させようとする力は、容器蓋に確実に伝えられる。この際、ベルト状体は容器蓋を開ける方向に巻き付けられるので、巻き付けた最外周部にあるベルト状体を握ったり持ったりして開蓋方向に廻そうとする指や手の力は、ベルト状体を締める方向に働く。そして、巻き付けたベルト状体がよく締まって遊びが無くなった時点で、前記指や手の力が容器蓋を開蓋させるように働く。一方、前記指や手の力は、巻き付けたベルト状体を容器蓋に押圧し、その摩擦力で開蓋させることにも働く。
【０００９】
本発明のベルト状体は、ゴム、プラスチック、皮革、織物など柔軟で強度のある素材で構成される。また、すべりの良い素材が好ましい。その寸法は、適用される蓋の形状・寸法に応じて適宜に選択されるが、通常使用されるのは、幅が１０〜５０ｍｍ、より好ましくは２０〜４０ｍｍ程度、厚みが１〜１０ｍｍ、より好ましくは２〜５ｍｍ程度、長さが１０〜１００ｃｍ、より好ましくは２０〜５０ｃｍ程度のものである。
【００１０】
そして、このベルト状体の一端部内側面に、容器蓋の側面に仮固着するための取付部を設ける。取付部の幅は、ベルト状体の幅と同じか幾分狭いものとし、取付部の長さは、適用する容器蓋の寸法に合わせて１〜５ｃｍ程度とする。また、取付部は粘着剤を塗布したり、コムやプラスチックの場合にその一部を化学変化や薬品処理により粘着性を持たすような処理を施してもよい。また、最近ミクロンオーダーの微細な吸盤を多数設けたシート状の素材が提供されているが、これを取付部として利用することもできる。ミリオーダーの吸盤を多数備えたシートを用いてもよい。尚、粘着剤の塗布や粘着処理をしたものの場合、不使用時に粘着部分がベルト状体にくっついたり周囲のゴミが付いたりするなど、保管上の問題が生じる。これを防止するために、保護部材を設けるようにしてもよい。
【００１１】
【発明の実施の形態】
（実施の形態  １）
次に、図面に基づいて本発明の蓋開け具をより具体的に説明する。図１は、本発明の蓋開け具１の一例を示す斜視図である。この蓋開け具１は、厚さ３ｍｍの柔軟なポリエチレンシートを、幅３０ｍｍ、長さ５０ｃｍに裁断したものをベルト状体２とし、その一端２ａの内側面に、容器蓋の側面に仮固着するための取付部３として、厚み２ｍｍ、長さ４ｃｍ程度の粘着層４を設けたものである。
【００１２】
この取付部３は、両面粘着シートを貼着したものでもよいが、粘着剤を強固に塗布したシート基材を、強力な接着剤でベルト状体２に接着するようにしてもよい。
【００１３】
図２は、この蓋開け具１を用いて開蓋する状態を示す平面図である。まず、容器の蓋５の側面にベルト状体２の先端部２ａを押し当てて仮固着させ、続いてベルト状体２を容器蓋５の回りに巻き付ける。巻き付け方向は、開蓋方向である。そして、この状態で指または手で握って開蓋方向へ回転させると、５本の指の力Ｆが、まず、ベルト状体２を締める力ｆとして働く。続いて、ベルト状体２が締まってきて滑りがなくなると、指の力Ｆが蓋側面の略全面に対して回転させる力として働く。この際に、回転モーメントが大きくなっているので（ａ→ｂ）、弱い力で容易確実に開蓋することができる。
【００１４】
いま、ベルト状体２の厚みをｔ、容器蓋５の半径をａとし、巻き付け回数を３とすると、蓋開け具１を取り付けた状態の半径（実質的な半径）ｂは、ｂ＝ａ＋３ｔとなり、その分だけ回転モーメントが増加する。
【００１５】
本例は、径の小さな容器蓋についてのものであり、この場合は特に実質的な径が大きくなることが重要である。これに対し径の大きな容器蓋の場合、回転モーメントの問題よりも、開蓋け部材と容器蓋の間の滑りの問題の方が影響が大きい。本発明蓋開け具の場合、ベルト状体の一端を容器蓋に仮固着するので、開蓋け部材（ベルト状体）と容器蓋の間の滑りの問題は生じない。また、手又は指と容器蓋との間の摩擦力よりも、手又は指とベルト状体との間に生じる摩擦力の方が大きいので、本発明の蓋開け具を用いると、径の大きな容器蓋の場合も開蓋し易くなるものである。
【００１６】
（実施の形態  ２）
図３は、取付部３の粘着層４を保護するフイルム状の保護部材６を、ベルト状体２の先端部に取り付けた蓋開け具７の一例を示す。この保護部材６は、蓋開け具の不使用時に粘着層４を覆っておき（図の鎖線）、容器蓋に仮固着する際に捲って粘着層４を裸出させるようにするものである。この保護部材６により、粘着層４にゴミがついたりベルト状体がくっ付いたりすることが防がれる。
【００１７】
（実施の形態  ３）
図４は、取付部３として、多数の微小吸盤８を形成した吸盤シート９を用いた、他の蓋開け具１０の例を示す。
【００１８】
【発明の効果】
以上詳述したように、本発明の蓋開け具は、幅が１０〜５０ｍｍ、厚みが１〜１０ｍｍで長さが１０〜１００ｃｍ程度の柔軟なベルト状体の一端部内側面に、粘着層など、容器蓋の側面に仮固着するための取付部を設けたものである。
【００１９】
従って、構造が極めて簡単で低コストで大量生産に向くとともに、通常の開蓋操作と全く同じ状態で、径の小さい蓋や固くなった蓋などが、弱い力で容易且簡単に開蓋できるものである。
【図面の簡単な説明】
【図１】本発明の蓋開け具の一例を示す斜視図である。
【図２】図１に示す蓋開け具の使用状態を示す平面図である。
【図３】本発明の蓋開け具の他の例を示す斜視図である。
【図４】本発明の蓋開け具の更に異なる他の例を示す斜視図である。
【符号の説明】
１    蓋開け具
２    ベルト状体
２ａ  ベルト状体一端部
３    取付部
４    粘着層
５    容器蓋
６    保護部材
７    蓋開け具
８    微小吸盤
９    吸盤シート
１０  蓋開け具
ｔ    ベルト状体の厚み
ａ    容器蓋の半径
ｂ    実質的な半径
Ｆ    指の力
【図１】
0004177942.tif 000002
【図２】
0004177942.tif 000003
【図３】
0004177942.tif 000004
【図４】
0004177942.tif 000005